(57)【特許請求の範囲】
【請求項１】
前面パネル２に形成した開口部３を開閉する鍵収納体４を備えた鍵管理装置１に於ける鍵収納体であり、この鍵収納体４は、前面が開口１６しかつ左右の側壁１９に一対の弧状ガイド切欠部２０を有する内部フレーム１５内に回転傾倒可能に軸支された鍵収納体本体５と、この鍵収納体本体５に連動して回転傾倒するように内部フレーム１５内に軸支された従たる鍵収納体６とから成り、前記鍵収納体本体５は、枢支脚部５ａが内部フレーム１５の下部に横設軸架された第１水平軸３１に軸支され、一方、前記従たる鍵収納体６は、左右の側壁下部が前記第１水平軸３１よりも前方に位置しかつ内部フレーム１５の下部に横設された第２水平軸５０に軸支され、これらの第１及び第２水平軸３１、５０よりも上方に位置し、かつ、鍵収納体本体５の枢支アーム部５ｃと従たる鍵収納体６の側壁６ａに縦方向に連設形成された弧状移行ガイド部６ｂと内部フレーム１５の前記弧状ガイド切欠部２０に可動軸３２が横設されており、内部フレーム１５内に設けられたロック手段７の係合爪片７ｃの係合が鍵収納体４側の係合ピン３３から外れると、適宜箇所に設けられた付勢バネ５５のバネ力により、前記可動軸３２の軌跡に対応して鍵収納体本体５と従たる鍵収納体６が互いに連動しながら所定角度開くことを特徴とする鍵管理装置に於ける鍵収納体。
【請求項２】
請求項１に於いて、鍵収納体本体５には、鍵収納体本体５の中にシリンダー錠３４が縦方向に配設され、このシリンダー錠３４は、鍵収納体本体５の左右の側壁胴部５ｂ、５ｂ内に固定的に設けられた外筒体３６と、この外筒体３６内に回動可能に内装されかつ合鍵Ｋ１で回転する内筒体３７とから成ることを特徴とする鍵管理装置に於ける鍵収納体。
【請求項３】
請求項２に於いて、シリンダー錠３４の下方でかつ鍵収納体本体５内には支持フレーム３９を介して検知手段３８が設けられており、この検知手段３８は、合鍵Ｋ１がシリンダー錠３４の内筒体３７に完全に差し込まれた信号を検知する第１検知手段４０と、合鍵Ｋ１の回転操作により前記内筒体３６が所定角度回転した信号を検知する第２検知手段４２とから成ることを特徴とする鍵管理装置に於ける鍵収納体。
【請求項４】
請求項１に於いて、従たる鍵収納体６は、鍵管理装置１の前面パネル２と垂直面が略一致する前壁６ｃと、この前壁６ｃの後方に延びる左右一対の対向側壁６ａ、６ａと、これらの側壁６ａ、６ａにそれぞれ縦方向に連設する弧状移行ガイド部６ｂ、６ｂとから成り、他の鍵Ｋ２は、前記前壁６ｃと鍵収納体本体５の前壁５ｄとの間に形成される所要空間５２に収容されることを特徴とする鍵管理装置に於ける鍵収納体。
【請求項５】
請求項１に於いて、第１水平軸３１と鍵収納体本体５の枢支脚部５ａとは一体的に設けられており、付勢バネ５５のバネ力により回転する該第１水平軸３１には、内部フレーム１５に内装されたブレーキ手段５６が設けられていることを特徴とする鍵管理装置に於ける鍵収納体。
【請求項６】
請求項１に於いて、ロック手段７は、内部フレーム１５の後方に縦方向に配設されたソレノイド７ａと、通電時には収縮し、一方、非通電時には下方に伸張する作動杆７ｂと、この作動杆７ｂに後端部（枢支端部）が枢支され、かつ、中央部が前述した内部フレーム１５の枢軸２３に軸支されていると共に、先端部が鍵収納体本体５側の係合ピン３３と係脱する係合爪片７ｃとから成ることを特徴とする鍵管理装置に於ける鍵収納体。
【発明の詳細な説明】
【０００１】
【発明の属する技術分野】
本発明は、鍵管理装置に於ける鍵収納体に関する。本発明が使用される鍵管理装置は、例えばテナントビルの通用口等に使用者用の鍵を集中管理するために設置される。
【０００２】
【従来の技術】
従来、この種の鍵管理装置の鍵収納体としては、実開平５−１４４３７号公報に開示された一例がある。そこで、この実施例の主要部を図１８に示して説明すると次の通りである。
【０００３】
すなわち、７１はケース状の枠体７２の内部フレーム７３に水平軸７４を介して回動可能に設けられた鍵収納体である。この鍵収納体７１は、枠体７２の前面部と略同一垂直面となる前面パネル７１ａと、この前面パネル７１ａの裏面に一体的に設けられたキー収納ポケット部７１ｂとから構成され、前記前面パネル７１ａの下部が水平軸７４に軸支されている。したがって、鍵収納体７１は次に説明する駆動源により、矢印で示すように水平軸７４を中心にして前面パネル７１ａの手前側へ回転する。
【０００４】
７５はゼンマイなどの駆動源を内蔵した駆動装置で、この駆動装置７５の駆動歯車７５ａは、鍵収納体７１のキー収納ポケット部７１ｂに一体的に設けられた扇状部材７６の従動歯車７６ａに噛合している。
【０００５】
７７は扇状部材７６の後方に位置するように内部フレーム７３の中央部に横設されたロック手段としての電気錠である。この電気錠７７は普通一般のソレノイドが使用され、その作動杆７８は水平方向へ伸縮動し、扇状部材７６の中央部に固設された係合孔を有する係合板７９と係脱する。また作動杆７８は扇状部材７６に設けた検知手段８０と当接可能である。
【０００６】
しかしながら、上記構成に於いては、次に列挙するような欠点があった。
▲１▼鍵収納体は１個であるから、たとえば鍵収納体７１のキー収納ポケット部７１ｂに自己の室内に入るためのメインドア用の鍵Ｋを差し込むと、当該鍵収納体７１には他の鍵（例えば室内の間仕切りされたルームキー）を収納させることができない。
▲２▼鍵収納体７１のキー収納ポケット部７１ｂには、正規以外の鍵を差し込むことができる。したがって、正規の鍵（合鍵）のみを確実に保管・管理すると言う目的には適さない。
▲３▼ロック手段７７の係合を解除しても、駆動装置７５が駆動しないかぎり、鍵収納体７１は自動的に開放しない。しかも、駆動装置７５の一例としてゼンマイを使用しているが、故障の要因となる。したがって、修理乃至耐久性の観点から問題が生じ易い。
▲４▼ロック手段７７としての電気錠を横設しているので、内部フレーム７３の奥行きＤが深くなる。したがって、管理装置の設置スペースを少なくすると言う発明の課題を十分に達成することができない。
【０００７】
【発明が解決しようとする課題】
本発明は以上のような従来の欠点に鑑み、第１の目的はそれぞれの鍵収納体にメインドア用の鍵のみならず他の鍵も入れておくことができると共に、他の鍵の出し入れの容易化を図ることができ、また第２の目的は正規の鍵（合鍵）を確実に保管・管理することができ、さらに、ロック手段の係合を解除すると、複数個の鍵収納体が自動的に連動（追動）して開放することができ、加えて管理装置の設置スペースを少なくすることができる鍵管理装置に於ける鍵収納体を得ることである。
【０００８】
【課題を解決するための手段】
本発明の鍵管理装置に於ける鍵収納体は、前面パネル２に形成した開口部３を開閉する鍵収納体４を備えた鍵管理装置１に於ける鍵収納体であり、この鍵収納体４は、前面が開口１６しかつ左右の側壁１９に一対の弧状ガイド切欠部２０を有する内部フレーム１５内に回転傾倒可能に軸支された鍵収納体本体５と、この鍵収納体本体５に連動して回転傾倒するように内部フレーム１５内に軸支された従たる鍵収納体６とから成り、前記鍵収納体本体５は、枢支脚部５ａが内部フレーム１５の下部に横設軸架された第１水平軸３１に軸支され、一方、前記従たる鍵収納体６は、左右の側壁下部が前記第１水平軸３１よりも前方に位置しかつ内部フレーム１５の下部に横設された第２水平軸５０に軸支され、これらの第１及び第２水平軸３１、５０よりも上方に位置し、かつ、鍵収納体本体５の枢支アーム部５ｃと従たる鍵収納体６の側壁６ａに縦方向に連設形成された弧状移行ガイド部６ｂと内部フレーム１５の前記弧状ガイド切欠部２０に可動軸３２が横設されており、内部フレーム１５内に設けられたロック手段７の係合爪片７ｃの係合が鍵収納体４側の係合ピン３３から外れると、適宜箇所に設けられた付勢バネ５５のバネ力により、前記可動軸３２の軌跡に対応して鍵収納体本体５と従たる鍵収納体６が互いに連動しながら所定角度開くことを特徴とする。
【０００９】
【発明の実施の形態】
以下、図面に示す本発明の実施の形態を、テナントビルの通用口等に使用者用の鍵を集中管理するために設置された鍵管理装置に使用した場合で説明する。
【００１０】
まず図１及び図２に基づき本発明の全体的な使用状態の一例について説明する。１は箱状の鍵管理装置である。この鍵管理装置１の奥行きは、概してこの種の装置本体より浅い。２は鍵管理装置１の前面パネルである。この前面パネル２には、右側の一部分を除き、縦長状の開口部３が縦横整列状態（格子状）に形成されている。開口部３の数は、合計５０個あるが、この数は必要に応じて増減可能である。
【００１１】
しかして、鍵管理装置１には、前記各開口部３をそれぞれ開閉する複数個の鍵収納体４が設けられている。この鍵収納体４は、基本的には主たる鍵収納体本体５と従たる鍵収納体６が主要部である。
【００１２】
また鍵管理装置１には、各鍵収納体を従たる鍵収納体６の前壁を基準にして当該開口部３を開口させるために、鍵収納体４のロック手段７に制御命令信号を出力する制御装置８が設けられている。前記ロック手段７は係合爪片７ｃを有し、制御装置８からの制御命令信号に基づき駆動し、かつ、主たる鍵収納体本体５をそれぞれロックする当該係合爪片の係合状態を個別的に解消させる。
【００１３】
ところで、前記制御装置８には、鍵の使用者によって入力（識別カードの挿入、暗証番号の入力操作など）される入力装置の一例としてのカードリーダー９、使用者の当該メインの鍵をどの鍵収納体本体５に収納すべきかなどを表示する表示部１０などが電気的に接続している。
【００１４】
なお、図２に於いて、符号１１は各ロック手段７用の電源、１２は鍵管理装置１の作動に必要なプログラムを備えたメモリー部、１３は入力装置９からの入力信号を前記メモリー部１２の登録情報と比較照合して判別する判断部、１４は使用者が鍵を主たる鍵収納体本体５から取り出す時当該鍵収納体本体５を所要時間開いた状態にするタイマー回路である。
【００１５】
次に図１ないし図１７に基づき本発明の鍵収納体を説明する。前述したように鍵収納体４は、基本的には主たる鍵収納体本体５と、これに連動する別体の従たる鍵収納体６とを主要部とする。本発明の第１の目的をある程度達成するためには、鍵収納体本体５に一体的に従たる鍵収納体６を形成し、必ずしも従たる鍵収納体６を鍵収納体本体５に連動させる必要はないが、室内の間仕切りされたルームキー等の他の鍵の出し入れを容易にするためには、従たる鍵収納体６を鍵収納体本体５とは別体に構成し、かつ、従たる鍵収納体６を鍵収納体本体５に連動させながら極力開放するのが望ましい。
【００１６】
しかして、まず１５は鍵管理装置１の各開口部３にそれぞれ臨むように配設された鍵収納体４の内部フレームである。この内部フレーム１５は、図８で示すようにケース状に形成され、前面が開口１６している。内部フレーム１５の上壁１７の先端部には、垂直方向に折曲形成されたストッパー部１８が設けられている。また内部フレーム１５の左右の側壁１９、１９の中央部よりの部位には、前記開口１６に向かって弧状のガイド切欠部２０、２０が左右一対形成されている。左右一対のガイド切欠部２０、２０は、外観上前記開口１６に向かってやや緩やかな上り坂と成っている。
【００１７】
また内部フレーム１５の左右の側壁１９、１９の下部には、鍵収納体４用の左右一対の軸孔等が複数個形成されている。すなわち、２１は前記ガイド切欠部２０の下方に位置する鍵収納体本体５用の第１軸孔であり、一方、２２は第１軸孔２１よりも前方に位置する従たる鍵収納体６用の第２軸孔である。さらに、内部フレーム１５の一方の側壁、本実施例では図３及び図４で示すように右側壁１９の中央部に、ロック手段７の後述する係合爪片用の枢軸２３が突設されていると共に、右側壁１９の該枢軸２３よりも下方の適宜部位には、係合爪片の枢支端部と当接するストッパーピン２４が設けられている。なお、符号２５は内部フレーム１５の底壁、２６は内部フレーム１５の後壁である。
【００１８】
次に鍵収納体本体５について説明する。鍵収納体本体５の外観は図６で示す通りである。この鍵収納体本体５は、内部フレーム１５内に第１水平軸３１を介して下端部が枢支され、かつ、内部フレーム１５の左右一対のガイド切欠部２０、２０にそれぞれ案内される左右一対のピン状可動軸３２を介し、図１２で示すようにその上端部が内部フレームの開口１６から傾倒状態に突出する。
【００１９】
前記第１水平軸３１は、本実施例では前述した内部フレーム１５の左右一対の第１軸孔２１、２１に回転可能に横設軸架され、鍵収納体本体５の左右の枢支脚部５ａ、５ａと一体的に設けられている。したがって、第１水平軸３１が回動すると、鍵収納体本体５は枢支脚部５ａ、５ａを介して一緒に回動する。
【００２０】
また前記可動軸３２は、本実施例では左右一対の可動軸３２、３２で有り、これらの可動軸３２が内部フレーム１５の左右一対のガイド切欠部２０、２０にそそれぞれ案内されているが、さらに、鍵収納体本体５の左右の側壁胴部５ｂ、５ｂの後方にそれぞれ突出形成された枢支アーム部５ｃ、５ｃを各々枢支していると共に、従たる鍵収納体６の左右の側壁６ａ、６ａの後部にそれぞれ形成された弧状移行ガイド部６ｂ、６ｂ内をそれぞれ貫通している。なお、可動軸３２は、ロック手段の係合爪片の位置との関係で、その障害にならないように本実施例ではピン状の軸を２個使用しているが、設計如何によってはバー状の１本の横軸を使用しても良い。
【００２１】
しかして、鍵収納体本体５についてさらに詳細に説明すると、鍵収納体本体５は、図５及び図６で示すように枠状に形成され、前述した一方（右側）の枢支脚部５ａと側壁胴部５ｂとの間は、後述するブレーキ手段の一例としてのトルクリミッタが入り込むように適宜に切欠されている。また左右の側壁胴部５ｂ、５ｂを連結する前壁５ｄに対する後壁は設けられておらず、後方は開口している。ただ左右の側壁胴部５ｂ、５ｂの上端部を連結する後方連結板５ｅを有している。したがって、鍵収納体本体５は平面からは矩形状に見える。また鍵収納体本体５の他の側壁胴部５ｂには、後述の鍵収納体本体５用位置検知手段の関係を考慮し、たとえば垂直板状の係合部５ｆが形成されている。さらに、鍵収納体本体５の一方（右側）の側壁胴部５ｂの内壁には、係合ピン３３が横方向に突出している。なお、前記ブレーキ手段の一例としてのトルクリミッタ５６は、内部フレーム１５に適宜に係止されている。
【００２２】
ところで、鍵収納体本体５には、本発明の第２の目的を達成するために、シリンダー錠３４と、該シリンダー錠に合鍵Ｋ１が差し込まれたことを検知する検知手段３８とが設けられている。
【００２３】
すなわち、３４は鍵収納体本体５の中に取付け片３５を介して縦方向に配設されたシリンダー錠で、このシリンダー錠３４は、基本的には鍵収納体本体５の左右の側壁胴部５ｂ、５ｂ内に所要の空間を有して固定的に設けられた外筒体３６と、この外筒体３６内に回動可能に内装されかつメインの合鍵Ｋ１で回転する内筒体３７とから成る。ここで「合鍵Ｋ１」とは、居住者の室内に入るためのメインドア用の鍵を意味する。
【００２４】
上記検知手段３８は、本実施例ではシリンダー錠３４の下方でかつ鍵収納体本体５内に固定的に設けられた枠状の支持フレーム３９に複数個取り付けられている。すなわち、４０は支持フレーム３９の内側に縦方向に配設され、かつ、合鍵Ｋ１がシリンダー錠３４の内筒体３７に完全に差し込まれた信号を検知する第１検知手段である。一方、４２は支持フレーム３９の外側に横方向に配設され、合鍵Ｋ１の回転操作により前記内筒体３６が略９０度回転した信号を検知する第２検知手段である。これらの検知手段４０、４２としてはマイクロスイッチが採用されている。
【００２５】
ところで、シリンダー錠３４の内筒体３７に挿入された合鍵Ｋ１と検知手段３８との関係を図１３及び図１４に基づき簡単に説明すると、４３は支持フレーム３９内に前記内筒体３７と共に略９０度回転するように該内筒体３７の下部に一体的に設けられ、かつ、水平方向に第２検知手段４２と当接可能な当接アーム４４を有する回転筒である。また４５はこの回転筒４３内に上下動可能に設けられかつバネ４６で上方方向に適宜付勢される上下動片で、この上下動片４５の下端部に第１検知手段４０と当接可能な可動接片４７が設けられている。
【００２６】
次に従たる鍵収納体６について説明する。この従たる鍵収納体６は鍵収納体本体５に連動して開閉するように下端部が支点となる第２水平軸５０に枢支されている。第２水平軸５０は第１水平軸３１よりも前方に位置し、前述した内部フレーム１５の左右の側壁１９、１９の第２軸孔２２、２２及びこれらの軸孔と対向するように従たる鍵収納体６の左右の側壁６ａ、６ａにそれぞれ形成された対向軸孔５１、５１を介して内部フレーム１５に固定的に横設軸架されている。
【００２７】
ところで、従たる鍵収納体６は、図７で示すように前壁６ｃと、この前壁６ｃの後方に延びるやや三角形状の左右一対の対向側壁６ａ、６ａと、これらの側壁６ａ、６ａの幅狭後端部にそれぞれ縦方向に連設する弧状移行ガイド部６ｂ、６ｂと、前壁６ｃの背面下部でかつ対向側壁６ａ、６ａの間に設けられた板状の支持部６ｅとから成る。
【００２８】
しかして、前記前壁６ｃは、従たる鍵収納体６が閉じている時は鍵管理装置１の前面パネル２と略同一の垂直面となり、その背面は鍵収納体本体５の前壁５ｄと所要空間５２を有して対向する。ここで「所要空間５２」とは、室内の間仕切りされた普通一般のルームキーなどの他の鍵Ｋ２を少なくとも１個収納することができるスペースを言う。また前記対向側壁６ａ、６ａは、全体としてフック状の外観を呈し、それぞれ内部フレーム１５の側壁１９と鍵収納体本体５の側壁胴部５ｂとの間に介在している。そして、弧状移行ガイド部６ｂ、６ｂには、前述したようにそれぞれドライブピンとしての可動軸３２、３２が摺接可能に貫通している。
【００２９】
次に５５は第１水平軸３１に巻装され、かつ、鍵収納体本体５を常時開く方向に付勢する付勢バネである。この付勢バネ５５は、設計如何によっては第２水平軸５０に巻装し、従たる鍵収納体６を常時開く方向に付勢しても良い。しかして、本実施例では付勢バネ５５の一端部５５ａは鍵収納体本体５の前壁５ｄの内面下部に圧接し、一方、その他端部５５ｂは内部フレーム１５の底壁２５の内面に圧接している。
【００３０】
次に鍵収納体本体５又は従たる鍵収納体６をロックするロック手段７について説明する。ロック手段７は、本実施例では内部フレーム１５の後方に縦方向に配設されたソレノイド７ａと、通電時には収縮し、一方、非通電時には下方に伸張する作動杆７ｂと、この作動杆７ｂに後端部（枢支端部）が枢支され、かつ、中央部が前述した内部フレーム１５の枢軸２３に軸支されていると共に、先端部が鍵収納体本体５側の係合ピン３３と係脱する係合爪片７ｃとから成る。しかして、前記ソレノイド７ａは、前述した電源１１あるいはスイッチを介して制御装置８と電気的に接続し、また前記係合爪片７ｃは、ソレノイド７ａの通電時には作動杆７ｂを介して係合ピン３３から外れる。
【００３１】
次に５７は内部フレーム１５の後壁２６の内面下部に設けられ、かつ、鍵収納体本体５の係合部５ｆの外壁面と当接する当接片５８及び該当接片を介して鍵収納体本体５の開閉位置の信号を検知する検知器５９とを有する鍵収納体本体５用の位置検知手段である。この位置検知手段５７も制御装置８と電気的に接続している。
【００３２】
上記構成に於いては、図３がソレノイド７ａの非通電時の状態である。この時作動杆７ｂは伸張し、また係合爪片７ｃの先端部は鍵収納体本体５の係合ピン３３と係合している。したがって、鍵収納体本体５は付勢バネ５５のバネ力に抗して垂直状態に位置し、一方、従たる鍵収納体６は左右の可動軸３２、３２に係止された状態で内部フレーム１５の開口１６を閉じている。また位置検知手段５７の当接片５８は内部フレーム１５の後壁２６側に位置している。さらに、左右の可動軸３２、３２は、内部フレーム１５のガイド切欠部２０、２０の下部にそれぞれ位置している反面、従たる鍵収納体６の弧状移行ガイド部６ｂ、６ｂの上部にそれぞれ位置している。そして、合鍵Ｋ１はシリンダー錠３４に差し込まれ、一方、他の鍵Ｋ２は所要空間５２内に収容されている。
【００３３】
そこで、今仮に使用者が識別カードを鍵管理装置１のカード挿入口に差し込んだと仮定する。そうすると、入力装置９は識別カードのカード内容（識別情報）を制御装置８に送る。制御装置８は送られてきた情報信号を判断部１３に出力する。判断部１３は各鍵収納体４に対応して予めメモリー部１２に設定登録された登録情報と入力装置としてのカードリーダー９により読み取られたカード内容（識別情報）とを比較照合し、当該識別カードが正しければ照合一致が得られたカード内容に対応する鍵収納体４を判別し、その判断結果を制御装置８に通知する。制御装置８はこの判断結果に基づき選定されたロック手段７側に駆動信号を出力する。そうすると、当該ソレノイド７ａは当該電源１１を介して駆動し、その作動杆７ｂが伸長する。
【００３４】
次に図１０で示すようにソレノイド７ａの作動杆７ｂが伸縮すると、係合爪片７ｃは枢軸２３を支点に反時計方向へ回転し、鍵収納体本体５の係合ピン３３から外れる。そうすると、図１６で示すように鍵収納体本体５は付勢バネ５５のバネ力により、開く方向へと倒れる。本実施例では鍵収納体本体５は、ブレーキ手段５６でブレーキを掛けられながら回転する第１水平軸３１と共に反時計方向に略４０度回転する。この時鍵収納体本体５は第１水平軸３１を支点に回転し、かつ、内部フレーム１５のガイド切欠部２０、２０の下部位置から上部位置へと移動する可動水平軸３２の軌跡に対応して回転傾倒する。
【００３５】
一方、従たる鍵収納体６は鍵収納体本体５が回転傾倒すると、第２水平軸５０を支点に、かつ、弧状移行ガイド部６ｂ、６ｂと内接する可動水平軸３２、３２に押し出され、その結果、鍵収納体本体５に連動して回転傾倒する。従たる鍵収納体６は、本実施例では弧状移行ガイド部６ｂ、６ｂの長さとの関係で第２水平軸５０を支点に略６０度開く。そこで、合鍵Ｋ１並びに他の鍵Ｋ２を取り出すことができる。制御装置８はタイマー回路１４のタイマーが終了後にロック手段７側に信号を送る。そうすると、ロック手段７のソレノイド７ａは非通電状態になり、その作動杆７ｂはが伸長する。したがって、係合爪片７ｃは元の位置に戻り、何時でも鍵収納体本体５の係合ピン３３と係合可能に状態となる。
【００３６】
ところで、鍵収納体４に複数個の鍵Ｋ１、Ｋ２を保管する場合、合鍵のＫ１はシリンダー錠３４に差し込み、一方、他の鍵Ｋ２は鍵収納体本体５よりも大きく開放している従たる鍵収納体６に単に入れればそれで良い。なお、複数個の鍵Ｋ１、Ｋ２は、特に図示しないがリングで互いに連結されている。
【００３７】
しかしながら、合鍵Ｋ１は当該シリンダー錠３４に合致しない限り差し込むことができない。もちろん、合鍵Ｋ１と略同一あるいは類似の形状の鍵も多数存在し、中には当該シリンダー錠３４の内筒体３７に完全に差し込むことができる鍵も存在するが、本発明の実施例では前述したように、合鍵Ｋ１がシリンダー錠３４の内筒体３７に完全に差し込まれた信号を検知する第１検知手段４０のみならず、合鍵Ｋ１の回転操作により前記内筒体３６が所定量回転した信号を検知する第２検知手段が存在するので、仮に非合鍵をシリンダー錠３４の内筒体３７に差し込んだまま従たる鍵収納体６を手で押して閉じても、当該鍵収納体４に正規の合鍵が収納されていないことが分る。なお、当該鍵収納体４を閉じる場合は、従たる鍵収納体６を手で押すと、鍵収納体本体５が付勢バネ５５のバネ力に抗し、従たる鍵収納体６に連動して元の位置へと戻る。その時係合爪片７ｃの先端部と一時摺接する鍵収納体本体５側の係合ピン３３が係合爪片７ｃの先端部を乗り越えかつ該先端部と係合する。その結果、従たる鍵収納体６の前壁６ｃの上端部が内部フレーム１５のストッパー部１８と当接し、その前壁６ｃが前面パネル２と同一垂直面になり、また鍵収納体本体５が閉じたことを位置検知手段５７がキャッチする。
【００３８】
【実施例】
以下、合鍵Ｋ１と他の鍵Ｋ２とを保管・管理することができる本発明の実施例を列挙する。なお、実施例の説明に於いては、図面に発明の実施の形態で説明した符号をそのまま付し、あるいは同様の符号を付し、重複する説明を省略する。
【００３９】
ここでは図２ないし図１７に基づき、本発明の実施の形態で説明した第１実施例を説明する。
【００４０】
１５は箱状の内部フレームで、前面が開口１６しかつ左右の側壁１９に一対の弧状ガイド切欠部２０が形成されている。４は鍵収納体であり、この鍵収納体４は、基本的には、内部フレーム１５内に回転傾倒可能に軸支された鍵収納体本体５と、この鍵収納体本体５に連動して回転傾倒するように内部フレーム１５内に軸支された従たる鍵収納体６とから成る。
【００４１】
しかして、前記鍵収納体本体５は、枢支脚部５ａが内部フレーム１５の下部に横設軸架された第１水平軸３１に軸支され、一方、前記従たる鍵収納体６は、左右の側壁下部が前記第１水平軸３１よりも前方に位置し、かつ、内部フレーム１５の下部に横設された第２水平軸５０に軸支されている。
【００４２】
３２は左右一対の可動軸で、これらの可動軸３２は、前記第１及び第２水平軸３１、５０よりも上方に位置し、かつ、鍵収納体本体５の枢支アーム部５ｃと従たる鍵収納体６の側壁６ａに縦方向に連設形成された弧状移行ガイド部６ｂと内部フレーム１５の前記弧状ガイド切欠部２０に可動軸３２が横設されている。本発明の実施の形態で説明したように、可動軸３２は必ずしもピン状である必要はなく、設計如何によっては１本のバーであっても良い。
【００４３】
７は鍵収納体４を閉鎖位置で係止するロック手段で、この内部フレーム１５の後方に縦方向に配設されたソレノイド７ａと、通電時には収縮し、一方、非通電時には下方に伸張する作動杆７ｂと、この作動杆７ｂに後端部（枢支端部）が枢支され、かつ、中央部が前述した内部フレーム１５の枢軸２３に軸支されていると共に、先端部が鍵収納体本体５側の係合ピン３３と係脱する係合爪片７ｃとから成る。本実施例ではロック手段７の係合爪片７ｃが鍵収納体本体５側の係合ピン３３と係合しているが、設計如何によっては前記係合ピンを従たる鍵収納体６の側壁等に設け、従たる鍵収納体６の方を係止しても良い。
【００４４】
５５は第１水平軸３１に巻装され、かつ、鍵収納体本体５を常時開く方向へ付勢する付勢バネである。鍵収納体本体５はロック手段７の係合爪片７ｃの係合が鍵収納体４側の係合ピン３３から外れると、この付勢バネ５５のバネ力により、第１水平軸３１と共に回転する。この時鍵収納体本体５に連動して従たる鍵収納体６も前記可動軸３２の軌跡に対応して所定角度まで傾倒回転する。本実施例では付勢バネ５５は、第１水平軸３１に巻装されているが、設計如何によっては第２水平軸５０に巻装し、従たる鍵収納体６を常時開く方向へ付勢しても良い。但しこの場合は、ロック手段７の係合爪片７ｃは従たる鍵収納体６に係脱するのが望ましい。
【００４５】
【発明の効果】
以上の説明から明らかなように、本発明にあっては次に列挙するような効果がある。
（１）請求項１記載の発明は、それぞれの鍵収納体にメインドア用の鍵のみならず他の鍵も入れておくことができると共に、他の鍵の出し入れの容易化を図ることができる。
（２）請求項２及び請求項３記載の発明は、正規の鍵（合鍵）を保管・管理することができる。特に請求項３記載の発明は合鍵を確実に保管・管理することができる。
（３）ロック手段の係合を解除すると、複数個の鍵収納体が自動的に連動して開放するので、鍵の出し入れが非常に便利である。特に請求項５記載の発明は、鍵収納体が「ゆっくりと」開く。
（４）請求項６記載の発明は、管理装置の設置スペースを少なくすることができる。
【図面の簡単な説明】
図１及び図２は本発明の実施の形態を説明するための各説明図。特に図３ないし図１７は本発明の実施例の一例を示す各説明図。
【図１】本発明の実施の形態を説明するための説明図。
【図２】本発明の実施の形態に於ける制御装置の電気的構成を示すブロック図。
【図３】本発明の右側面側から見た概略断面説明図（鍵収納体が閉鎖位置にある非通電時であり、係合爪片が係合状態である。）。
【図４】図３に於ける平面側から見た本発明の概略断面説明図。
【図５】図３に於ける正面側から見た本発明の概略断面説明図。
【図６】本発明の要部の一部を示す斜視図（鍵収納体本体）。
【図７】本発明の要部の斜視図（従たる鍵収納体）。
【図８】本発明の要部の斜視図（内部フレーム）。
【図９】一部省略の分解斜視図。
【図１０】鍵収納体本体とロック手段との関係を示す概略説明図。
【図１１】内部フレームと従たる鍵収納体との関係を示す概略説明図。
【図１２】鍵収納体が開いた状態の説明図。
【図１３】図３と同様の概略断面図（図３とは断面箇所が相違する）。
【図１４】シリンダー錠と第２検知手段の関係を示す概略説明図。
【図１５】鍵収納体が閉鎖位置にある場合に於いて、ソレノイドの通電時であり、かつ、係合爪片の係合が解除した状態の説明図。
【図１６】鍵収納体が中途まで開いた説明図。
【図１７】鍵収納体が完全に開いた概略説明図。
【図１８】従来の一実施例を示す概略説明図。
【符号の説明】
１…鍵管理装置、２…前面パネル、３…開口部、４…鍵収納体、
５…鍵収納体本体、５ａ…枢支脚部、５ｂ…側壁胴部、５ｃ…枢支アーム部、
５ｄ…前壁、６…従たる鍵収納体、６ａ…側壁、６ｂ…弧状移行ガイド部、
６ｃ…前壁、７…ロック手段、７ａ…ソレノイド、７ｂ…作動杆、
７ｃ…係合爪片、
８…制御装置、１５…内部フレーム、１６…開口、
１９…側壁、２０…ガイド切欠部、２３…枢軸、３１…第１水平軸、
３２…可動軸、３３…係合ピン、３４…シリンダー錠、３８…検知手段、
３９…支持フレーム、３６…外筒体、３７…内筒体、４０…第１検知手段、
４２…第２検知手段、５０…第２水平軸、５２…所要空間、５５…付勢バネ、
５６…ブレーキ手段、５７…位置検知手段、
Ｋ１…合鍵、Ｋ２…他の鍵。
【図１】
0003662984.tif 000002
【図２】
0003662984.tif 000003
【図３】
0003662984.tif 000004
【図４】
0003662984.tif 000005
【図５】
0003662984.tif 000006
【図６】
0003662984.tif 000007
【図７】
0003662984.tif 000008
【図８】
0003662984.tif 000009
【図９】
0003662984.tif 000010
【図１０】
0003662984.tif 000011
【図１１】
0003662984.tif 000012
【図１２】
0003662984.tif 000013
【図１３】
0003662984.tif 000014
【図１４】
0003662984.tif 000015
【図１５】
0003662984.tif 000016
【図１６】
0003662984.tif 000017
【図１７】
0003662984.tif 000018
【図１８】
0003662984.tif 000019